(57)【要約】【課題】高速回転で使用されるアンギュラ型の玉軸受において、グリースの軟化を抑制し、グリースの漏れを抑制する。【解決手段】玉軸受１０は、肩が軸方向の他方向側に形成された内輪１１を有し、保持器１４は、玉１３の軸方向の一方向側に配設される環状体３９と、環状体３９の軸方向の他方向側に配設され玉１３を保持する複数のつの４０と、を有する。つの４０は、少なくとも一部が内輪軌道面１７と軸方向に重なるとともに、全部が内輪１１の肩２６と軸方向に重ならない。内輪の呼び接触点Ａと外輪の呼び接触点Ｂを含む基準仮想円錐面に対して平行な仮想円錐面であって、内輪軌道面１７と内輪１１の肩２６との縁Ｆを含む仮想円錐面および外輪軌道面３１と外輪１２の肩おとし部との縁Ｄを含む仮想円錐面のうち軸方向の他方向側にある仮想円錐面が、ポケット４１と重なる。【選択図】図１
2019066013.tif 000002
【特許請求の範囲】
【請求項１】
外周に、内輪軌道面と、前記内輪軌道面の軸方向の一方向側に位置する肩のない内輪肩おとし部と、前記内輪軌道面の軸方向の他方向側に位置する肩と、を有する内輪と、
内周に、外輪軌道面と、前記外輪軌道面の軸方向の一方向側に位置する肩と、前記外輪軌道面の軸方向の他方向側に位置する肩のない外輪肩おとし部と、を有する外輪と、
前記内輪軌道面と、前記外輪軌道面と、の間に転動可能に配設される複数の玉と、
前記複数の玉の軸方向の一方向側に配設される環状体と、前記環状体の軸方向の他方向側に配設される複数のつのと、を有し、隣接する二つのつのと前記環状体とで囲まれて前記複数の玉のうちの一の玉が収容されるポケットを有する保持器と、
前記外輪の前記肩の軸方向の一方向側に固定されるとともに、前記内輪肩おとし部の軸方向の一方向側の位置および／または前記内輪肩おとし部より軸方向の一方向側の位置で前記内輪に接触または非接触に対向して、前記外輪および前記内輪で径方向に挟まれた空間を軸方向の一方向側の外部の空間から画定する一方の密封部材と、
前記外輪肩おとし部の軸方向の他方向側に固定されるとともに、前記内輪の前記肩の軸方向の他方向側の位置および／または前記内輪の前記肩より軸方向の他方向側の位置で前記内輪に接触または非接触に対向して、前記外輪および前記内輪で径方向に挟まれた空間を軸方向の他方向側の外部の空間から画定する他方の密封部材と、
を備え、
前記内輪軌道面と前記複数の玉とが接触する内輪の呼び接触点が、前記外輪軌道面と前記複数の玉とが接触する外輪の呼び接触点よりも、軸方向の他方向側に位置する玉軸受において、
前記複数のつのは、少なくとも一部が前記内輪軌道面と軸方向に重なるとともに、全部が前記内輪の前記肩と軸方向に重ならず、
前記内輪の呼び接触点と前記外輪の呼び接触点を含む基準仮想円錐面に対して平行な仮想円錐面であって、前記内輪軌道面と前記内輪の前記肩との縁を含む仮想円錐面および前記外輪軌道面と前記外輪肩おとし部との縁を含む仮想円錐面のうち軸方向の他方向側にある仮想円錐面が、前記ポケットと重なることを特徴とする玉軸受。
【請求項２】
請求項１の玉軸受において、前記密封部材は、前記内輪の肩の軸方向の他方向側の位置および／または前記内輪の肩より軸方向の他方向側の位置で前記内輪に非接触に対向することを特徴とする玉軸受。
【発明の詳細な説明】
【技術分野】
【０００１】
本発明は、玉軸受に関する。
【背景技術】
【０００２】
近年、自動車などの用途では、高速回転する回転軸を備える機器を用いることがある。このような回転軸を支持する転がり軸受は、外輪に対する内輪の回転速度が高くなっている。このような回転軸を支持する場合、転がり軸受は、図５に示すようなアンギュラ型の玉軸受８０を使用することがある。
玉軸受８０は、外輪８１と内輪８３が同軸に組み合わされている。外輪軌道面８２が、外輪８１の内周に形成されている。内輪軌道面８４が、内輪８３の外周に形成されている。外輪軌道面８２と内輪軌道面８４との間には、複数の玉８５が転動可能に配設されている。各玉８５は、保持器８６によって、周方向に等しい間隔で保持されている。
外輪８１には、玉８５を支持する肩９５が、外輪軌道面８２の軸方向の一方向側に形成されている。内輪８３には、玉８５を支持する肩９６が、内輪軌道面８４の軸方向の他方向側に形成されている。玉軸受８０は、外輪８１の肩９５と、内輪８３の肩９６と、複数の玉とによって、ラジアル荷重とともにアキシャル荷重を支持することができる。
【０００３】
内輪８３と外輪８１との間の環状空間Ｋには、グリースが封入されている。グリースは、各軌道面８２，８４と玉８５、保持器８６を潤滑する。環状空間Ｋの軸方向両側の開口部には、それぞれ密封装置８７，９４が設けられている。
各密封装置８７，９４は、外周側が外輪８１の内周にしめしろをもって嵌め合わされており、内周側に、弾性体のリップ８８，９３が設けられている。リップ８８，９３は、内輪８３の外周と径方向に対向して、外部から異物が浸入するのを抑制している。
【先行技術文献】
【特許文献】
【０００４】
【特許文献１】特開２０１５−８６９４０号公報
【発明の概要】
【発明が解決しようとする課題】
【０００５】
玉軸受８０の内輪８３では、肩９６が形成されている軸方向の他方向側の外径寸法が、肩のない軸方向の一方向側の外径寸法より大きい。このため、玉軸受８０が回転するときに、環状空間Ｋに封入されたグリースは、遠心力によって、内輪８３の小径側（図５の一方向側）から大径側（図５の他方向側）に向けて流動する。この結果、流動したグリースは、軸方向の他方向側に組付けられた密封装置９４と内輪８３とのすきまから漏れ出す虞がある。
特に、高速で回転する玉軸受８０は、玉８５や保持器８６が高速で回転するため、グリースが剪断されることによって軟化し、流動しやすくなる。このため、グリースが、更に漏れやすくなる。
【０００６】
グリースが環状空間Ｋから漏れた場合、封入されているグリース量が減少するので、軸受の寿命は低下する虞があるとともに、飛散したグリースが周辺機器に付着することによって、使用環境が悪化する虞がある。
【０００７】
そこで、本発明は、高速回転で使用されるアンギュラ型の玉軸受において、グリースの軟化を抑制し、グリースの漏れを抑制することを目的としている。
【課題を解決するための手段】
【０００８】
本発明の玉軸受は、外周に、内輪軌道面と、前記内輪軌道面の軸方向の一方向側に位置する肩のない内輪肩おとし部と、前記内輪軌道面の軸方向の他方向側に位置する肩と、を有する内輪と、内周に、外輪軌道面と、前記外輪軌道面の軸方向の一方向側に位置する肩と、前記外輪軌道面の軸方向の他方向側に位置する肩のない外輪肩おとし部と、を有する外輪と、前記内輪軌道面と、前記外輪軌道面と、の間に転動可能に配設される複数の玉と、前記複数の玉の軸方向の一方向側に配設される環状体と、前記環状体の軸方向の他方向側に配設される複数のつのと、を有し、隣接する二つのつのと前記環状体とで囲まれて前記複数の玉のうちの一の玉が収容されるポケットを有する保持器と、前記外輪の前記肩の軸方向の一方向側に固定されるとともに、前記内輪肩おとし部の軸方向の一方向側の位置および／または前記内輪肩おとし部より軸方向の一方向側の位置で前記内輪に接触または非接触に対向して、前記外輪および前記内輪で径方向に挟まれた空間を軸方向の一方向側の外部の空間から画定する一方の密封部材と、前記外輪肩おとし部の軸方向の他方向側に固定されるとともに、前記内輪の前記肩の軸方向の他方向側の位置および／または前記内輪の前記肩より軸方向の他方向側の位置で前記内輪に接触または非接触に対向して、前記外輪および前記内輪で径方向に挟まれた空間を軸方向の他方向側の外部の空間から画定する他方の密封部材と、を備え、前記内輪軌道面と前記複数の玉とが接触する内輪の呼び接触点が、前記外輪軌道面と前記複数の玉とが接触する外輪の呼び接触点よりも、軸方向の他方向側に位置する玉軸受において、前記複数のつのは、少なくとも一部が前記内輪軌道面と軸方向に重なるとともに、全部が前記内輪の前記肩と軸方向に重ならず、前記内輪の呼び接触点と前記外輪の呼び接触点を含む基準仮想円錐面に対して平行な仮想円錐面であって、前記内輪軌道面と前記内輪の前記肩との縁を含む仮想円錐面および前記外輪軌道面と前記外輪肩おとし部との縁を含む仮想円錐面のうち軸方向の他方向側にある仮想円錐面が、前記ポケットと重なることを特徴としている。
【発明の効果】
【０００９】
本発明の玉軸受は、高速回転で使用した場合であってもグリースの軟化を抑制し、グリースの漏れを抑制することができる。
【図面の簡単な説明】
【００１０】
【図１】第１実施形態の玉軸受の軸方向断面図である。
【図２】保持器の軸方向断面図である。
【図３】グリースの動きを説明する説明図である。
【図４】第２実施形態の玉軸受の軸方向断面図である。
【図５】従来の玉軸受の軸方向断面図である。
【発明を実施するための形態】
【００１１】
（第１実施形態）
図を用いて、本発明の第１実施形態を説明する。図１は、第１実施形態である玉軸受１０の軸方向断面図である。玉軸受１０は、アンギュラ型の玉軸受である。この玉軸受１０は、高速回転の条件下で使用される。この玉軸受１０は、具体的にはｄｍＮ値が１５０万程度の回転速度で使用される。
玉軸受１０は、内輪１１、外輪１２、複数の玉１３、保持器１４、一方の密封部材としての第１密封装置１５、および、他方の密封部材としての第２密封装置１６を備えている。内輪１１および外輪１２はそれぞれ環状であり、互いに同軸に組み合わされている。内輪１１は、外輪１２の内側に配置され、軸受中心軸ｍを中心にして外輪１２に対して回転自在である。説明の便宜上、以下の説明では、軸受中心軸ｍの延在する方向を軸方向という。図１において軸方向の左側を軸方向の一方向側、軸方向の右側を軸方向の他方向側という。また、軸受中心軸ｍに直交する方向を径方向、軸受中心軸ｍの回りを周回する方向を周方向という。
【００１２】
内輪１１は、内周が軸受中心軸ｍを中心として環状に形成された円筒形状の面５２である。内輪１１は、外周の軸方向略中央に内輪軌道面１７が、軸受中心軸ｍを中心として環状に形成されている。内輪１１は、外周の内輪軌道面１７の軸方向の一方向側に第１外周面２１が形成され、内輪軌道面１７の軸方向の他方向側に第２外周面２２が形成されている。軸方向断面において、内輪軌道面１７は円弧形状であり、溝半径は玉１３の直径の１／２よりわずかに大きい。内輪軌道面１７のうち径方向の寸法が最小の点を「内輪軌道底」といい、図１では点Ｓｉで示している。
第１外周面２１は、軸受中心軸ｍを中心として環状に形成されている。第１外周面２１の外径は、内輪軌道底Ｓｉの直径と略同等である。第１外周面２１の軸方向の他方向側で内輪軌道面１７とつながる部分には、抜け止め部２３が形成されている。抜け止め部２３は、内輪軌道底Ｓｉよりわずかに大径であり、玉軸受１０を組み立てたときに、内輪１１から複数の玉１３が容易に脱落しないようになっている。
第２外周面２２は、軸受中心軸ｍを中心として環状に形成されている。第２外周面２２の外径は、第１外周面２１より大径である。第２外周面２２と内輪軌道面１７とがつながる縁を、図１では点Ｆで示している。
【００１３】
内輪軌道面１７の軸方向の他方向側には、内輪軌道底Ｓｉより大径の肩２６が形成されている。肩２６は、玉１３を軸方向に支持することができる。以下で説明する外輪１２の肩３５と区別するため、当該内輪１１の肩を内輪肩２６という。これに対して、内輪軌道面１７の軸方向の一方向側では肩が形成されておらず、玉１３を軸方向に支持することができない。第１外周面２１が形成されている部分および抜け止め部２３は、「内輪肩おとし部」を構成している。
【００１４】
第１外周面２１の軸方向の一方向側には、第１密封装置１５のリップ１８が組み込まれる第１リップ溝２８が形成されている。第２外周面２２の軸方向の他方向側には、第２密封装置１６のリップ１９が組み込まれる第２リップ溝２９が形成されている。
【００１５】
外輪１２は、外周が軸受中心軸ｍを中心として環状に形成された円筒形状の面５３である。外輪１２は、内周の軸方向略中央に外輪軌道面３１が、軸受中心軸ｍを中心として環状に形成されている。外輪１２は、内周の外輪軌道面３１の軸方向の一方向側に第１内周面３２が形成され、軸方向の他方向側に第２内周面３３が形成されている。軸方向断面において、外輪軌道面３１は円弧形状であり、溝半径は玉１３の直径の１／２よりわずかに大きい。外輪軌道面３１のうち径方向の寸法が最大の点を「外輪軌道底」といい、図１では点Ｓｏで示している。
第２内周面３３は、軸受中心軸ｍを中心として環状に形成されている。第２内周面３３の内径は、外輪軌道底Ｓｏの直径とほぼ同等である。第２内周面３３の軸方向の一方向側で外輪軌道面３１とつながる部分には、抜け止め部２４が形成されている。抜け止め部２４は、外輪軌道底Ｓｏよりわずかに小径であり、玉軸受１０を組み立てたときに、外輪１２から複数の玉１３が容易に脱落しないようになっている。抜け止め部２４と外輪軌道面３１とがつながる縁を、図１では点Ｄで示している。
【００１６】
第１内周面３２は、軸受中心軸ｍを中心として環状に形成されている。その内径は、第２内周面３３より小径である。これにより、外輪軌道面３１の軸方向の一方向側には、外輪軌道底Ｓｏより小径の肩（以下、外輪肩３５という）が形成されている。外輪肩３５は、玉１３を軸方向に支持することができる。これに対して、外輪軌道面３１の軸方向の他方向側では肩が形成されておらず、玉１３を軸方向に支持することができない。第２内周面３３が形成されている部分および抜け止め部２４は、「外輪肩おとし部」を構成している。
【００１７】
第１密封装置１５を固定する第１固定溝３６が、第１内周面３２より軸方向の一方向側であって外輪１２の内周に形成されている。第２密封装置１６を固定する第２固定溝３７が、第２内周面３３より軸方向の他方向側であって外輪１２の内周に形成されている。
【００１８】
図２によって、保持器１４の形態を説明する。保持器１４は、全体として環状である。図２は、保持器１４の軸方向断面図であって、全体としての保持器１４は、図２の形態が一様に環状につながった形態である。保持器１４は、ポリアミド（ＰＡ）、ポリフェニレンサルファイド（ＰＰＳ）、ポリエーテルエーテルケトン（ＰＥＥＫ）などの合成樹脂を射出成型することによって、形成されている。
【００１９】
保持器１４は、周方向に連続する環状体３９と、環状体３９から軸方向の他方向側に突出する複数の「つの」４０とを備えている。周方向で隣接する二つのつの４０と、環状体３９とで囲まれた空間を「ポケット」４１という。各ポケット４１には、玉１３が、ひとつずつ組み込まれる。各ポケット４１の内周面４１ａは、単一の球面の一部を構成する。その球面の直径は、玉１３の外径よりわずかに大径であり、玉１３を、ポケット４１内で回転自在に収容することができる。
保持器１４の外周面４２および内周面４３は、保持器の中心軸を中心とする円筒形状であって、各つの４０を周方向に見た形状は略長方形である。また、各つの４０の軸方向の他方向側の端部４４（図１参照）は、軸受中心軸ｍと直交する向きに形成されている。
【００２０】
ポケット４１を挟んで周方向に隣接する二つのつの４０の先端部の間隔ｂは、玉１３の直径寸法より小さい。これにより、玉１３はポケット４１から容易に脱落しないようになっている。各つの４０は、軸方向の他方向側には軸方向に窪んだ切込み４５を有する。各つの４０の先端部は切込み４５が有るために周方向に撓むことができ、玉１３を、ポケット４１に組み込むことができる。
玉軸受１０は、保持器１４のつの４０の軸方向の長さｈを適正に選定することによって、グリースの漏れを抑制している。つの４０の長さｈは、玉１３の自転する方向と関連するので、各構成部品の形態を説明した後で詳細に述べる。
【００２１】
図１に示すように、玉軸受１０は、内輪１１と外輪１２とが同軸に組み合わされ、内輪軌道面１７と外輪軌道面３１との間に、複数の玉１３が転動可能に組み込まれている。玉１３は、保持器１４の各ポケット４１に組み込まれることによって、周方向に等しい間隔で保持されている。
【００２２】
玉１３と内輪軌道面１７とは、内輪軌道底Ｓｉより軸方向の他方向側に偏った位置にある「内輪の呼び接触点Ａ」で接触しており、玉１３と外輪軌道面３１は、外輪軌道底Ｓｏより軸方向の一方向側に偏った位置にある「外輪の呼び接触点Ｂ」で接触している。すなわち、玉軸受１０では、内輪の呼び接触点Ａが外輪の呼び接触点Ｂよりも、軸方向の他方向側に位置している。内輪の呼び接触点Ａと外輪の呼び接触点Ｂは、玉１３の中心Ｏを挟んで互いに反対側に位置しており、内輪の呼び接触点Ａと外輪の呼び接触点Ｂとを結ぶ直線ｋ０は、径方向の直線に対して角度θだけ傾斜している。
こうして、各玉１３の内輪の呼び接触点Ａおよび外輪の呼び接触点Ｂは、軸受中心軸ｍを中心とする単一の円錐面上に位置している。この円錐面を「仮想基準円錐面」とする。なお、厳密には、玉１３と各軌道面１７，３１とは、接触するときに、接触面が弾性変形することによって、楕円形状等の所定の広がりを持った領域（接触領域）で接触している。この説明では、内輪の呼び接触点Ａおよび外輪の呼び接触点Ｂは、いずれも呼び接触点であって、各接触領域の中心をいうものとする。
なお、直線ｋ０が、径方向の直線とのなす角度θを接触角という。玉軸受１０では、接触角θは概ね１５度である。
【００２３】
グリースが、外輪１２の内周と内輪１１の外周とで径方向に囲まれた環状の空間（以下「環状空間Ｋ」）に封入されている。グリースは、各軌道面１７，３１と玉８５、保持器８６を潤滑している。封入されるグリースには、ウレアグリースなどのチャネリングタイプのグリースが好適に使用される。
第１密封装置１５および第２密封装置１６が、環状空間Ｋの、軸方向両側の開口部に、組み付けられている。
【００２４】
第１密封装置１５は、鋼板製の芯金４７と、弾性体とで構成されている。芯金４７は、外周端部が軸方向に直角に折り曲げられており、軸方向断面では略Ｌ字状である。弾性体は、金型を用いて、ニトリルゴム、スーパーニトリルゴム、フッ素ゴムなどを加硫成型することによって、所定の形状に形成されている。弾性体は、芯金４７を金型に挿入し、金型内で加硫することで芯金４７と一体に形成される。
弾性体で固定部４９が、芯金４７の径方向外方に形成されている。固定部４９の外径は、第１固定溝３６の内径より大径である。固定部４９が第１固定溝３６にはめ込まれることによって、第１密封装置１５は外輪１２に固定される。
弾性体でリップ１８が芯金４７の径方向内方に形成されている。リップ１８は、第１リップ溝２８に向けて径方向内方に突出して第１リップ溝２８の側面２８ａと軸方向に対向するとともに、溝底面２８ｂと径方向に対向している。更に、リップ１８の一部が軸方向他方側に突出してサブリップ２５が形成されており、サブリップ２５は、第１外周面２１と径方向に対向している。リップ１８は、第１リップ溝２８および第１外周面２１とわずかなすきまをもって対向してラビリンスを形成しており、環状空間Ｋへの異物の浸入を抑制している。
【００２５】
こうして、第１密封装置１５は、外輪肩３５の軸方向の一方向側に固定されるとともに、内輪肩おとし部の軸方向の一方向側の位置で内輪１１に非接触に対向して、環状空間Ｋを軸方向の一方向側の外部の空間から画定している。
【００２６】
第２密封装置１６は、鋼板製の芯金４８と、弾性体とで構成されている。芯金４８は、外周端部が軸方向に直角に折り曲げられており、軸方向断面では略Ｌ字状である。弾性体は、第１密封装置１５と同様にして、芯金４８と一体に形成されている。弾性体の材質は、第１密封装置１５と同様である。
弾性体で固定部５０が、芯金４８の径方向外方に形成されている。固定部５０の外径は、第２固定溝３７の内径より大径である。固定部５０が第２固定溝３７にはめ込まれることによって、第２密封装置１６は、外輪１２に固定される。
弾性体でリップ１９が、芯金４８の径方向内方に形成されている。リップ１９は、第２リップ溝２９に向けて径方向内方に突出して、第２リップ溝２９の溝側面２９ａと軸方向に対向するとともに、溝底面２９ｂと径方向に対向している。更に、リップ１９の一部が軸方向の一方向側に突出してサブリップ２０を形成しており、サブリップ２０は、第２外周面２２と径方向に対向している。リップ１９は、第２リップ溝２９および第２外周面２２とわずかなすきまをもって対向してラビリンスを形成しており、環状空間Ｋへの異物の浸入を抑制している。
【００２７】
こうして、第２密封装置１６は、外輪肩おとし部の軸方向の他方向側に固定され、内輪肩２６の軸方向の他方向側の位置で内輪１１に非接触に対向して、環状空間Ｋを軸方向の他方向側の外部の空間から画定している。玉軸受１０では、リップ１８，１９と内輪１１とを互いに非接触とすることによって、リップ１８，１９の摩擦抵抗を低減できるので、発熱を防止して、より高速で使用することができる。
【００２８】
次に、図１および図３によって、玉軸受１０のグリース漏れを抑制する作用について、詳細に説明する。図３（ａ）は、玉軸受１０の一の玉１３を、軸方向に見たときの模式図であり、図３（ｂ）は、図３（ａ）に示す玉１３を図の左側（矢印Ｘで示す向き）から見た模式図である。また、図３（ｃ）は、図３（ａ）に示す玉１３を図の右側（矢印Ｙで示す向き）から見た模式図である。
ここでは、内輪１１が、図３（ａ）に矢印Ｒで示す向きに回転している場合について説明する。
【００２９】
図３（ａ）を参照する。内輪１１が矢印Ｒの向きに回転すると、玉１３は矢印Ｔで示すように反時計回りの向きに自転するとともに、軸受中心軸ｍの周りを矢印Ｒの向きに公転する。各玉１３は、それぞれ保持器１４のポケット４１に収容されているので、玉１３と保持器１４とが一体となって、軸受中心軸ｍの周りで矢印Ｒの向きに回転する。
【００３０】
図３（ｂ）、（ｃ）に示すように、玉１３は、径方向の直線に対して接触角θだけ傾いた直線ｋ０の方向で、各軌道面１７，３１と接触している。これにより、玉１３は、直線ｋ０と直交し、玉中心Ｏと軸受中心軸ｍ上の点を結ぶ直線ｎを軸として自転する。玉１３の表面は、図３（ｂ）では、矢印Ｇの向きに動いており、図３（ｃ）では、矢印Ｈの向きに動いている。
【００３１】
玉軸受１０の組み立て時には、グリースは、主に、玉１３と玉１３とで周方向に挟まれた空間に封入されている。
玉軸受１０が回転するときには、グリースは、玉１３および保持器１４の表面に付着して、環状空間Ｋ内を移動する。したがって、玉１３の表面に付着したグリースは、図３（ｂ）では、矢印Ｇの向きに移動し、図３（ｃ）では矢印Ｈの向きに移動する。
【００３２】
保持器１４のポケット４１の内周面４１ａは玉１３の表面と近接している。
このため、図３（ｂ）に示すように、矢印Ｘの向きに見た側では、玉１３の表面に付着したグリースのうちハッチングを施した領域のグリースは、保持器１４のつの４０の上部、すなわちａ１〜ａ２の領域で掻き取られる。図３（ａ）では、つの４０の上部で掻き取られたグリースＱ１の状態を模式的に示している。
【００３３】
第１実施形態の玉軸受１０では、つの４０の軸方向の他方向側の先端部であるａ２の位置が、点Ｆ（第２外周面２２と内輪軌道面１７とがつながる縁）を通って直線ｋ０に平行な直線ｋ１より軸方向の他方向側に位置している。これにより、玉１３の表面の進行方向において、内輪軌道面１７は常に保持器１４のつの４０の後方に位置している。このため、玉１３の表面に付着したグリースが、内輪軌道面１７に浸入するのを抑制できる。この結果、内輪軌道面１７と玉１３との間でグリースが激しく剪断されるのを抑制できるので、グリースの軟化を抑制することができる。
【００３４】
こうして玉軸受１０の保持器１４では、点Ｆで示す縁を含み、基準仮想円錐面に対して平行な仮想円錐面ｐ（仮想円錐面ｐは、直線ｋ１を母線とする円錐面である）を考えたときに、つの４０の軸方向の他方向側の端部４４の少なくとも一部が、当該仮想円錐面ｐより軸方向の他方向側に位置している。いいかえれば、玉軸受１０を矢印Ｘの向きに見たときに、点Ｆで示す縁を含み基準仮想円錐面に対して平行な仮想円錐面ｐが、ポケット４１と重なっている。こうすることによって、玉１３の表面に付着したグリースが、つの４０で掻き取られることによって、内輪軌道面１７に浸入するのを抑制することができる。
【００３５】
矢印Ｙの向きに見た側においても、同様にして、外輪軌道面３１へのグリースの浸入を抑制することができる。
図３（ｃ）では、玉１３の表面に付着したグリースのうちハッチングを施した領域のグリースは、保持器１４のつの４０の下部、すなわちｂ２〜ｂ３およびｂ３〜ｂ４の領域で掻き取られる。図３（ａ）では、つの４０の下部で掻き取られたグリースＱ２の状態を模式的に示している。
【００３６】
第１実施形態の玉軸受１０では、つの４０の軸方向の他方向側の先端部であるｂ２の位置が、点Ｄ（抜け止め部２４と外輪軌道面３１とがつながる縁）を通って、直線ｋ０に平行な直線ｋ２より軸方向の他方向側に位置している。これにより、玉１３の表面の進行方向において、外輪軌道面３１は常に保持器１４のつの４０の後方に位置している。このため、玉１３の表面に付着したグリースが、外輪軌道面３１に浸入するのを抑制できる。この結果、外輪軌道面３１と玉１３との間でグリースが激しく剪断されるのを抑制できるので、グリースの軟化を抑制することができる。
【００３７】
こうして玉軸受１０の保持器１４では、図３（ｂ）の場合と同様に、点Ｄで示す縁を含み、基準仮想円錐面に対して平行な仮想円錐面ｑ（仮想円錐面ｑは、直線ｋ２を母線とする円錐面である）を考えたときに、つの４０の軸方向の他方向側の端部４４の少なくとも一部が、当該仮想円錐面ｑより軸方向の他方向側に位置している。いいかえれば、玉軸受１０を矢印Ｙの向きに見たときに、点Ｄで示す縁を含み、基準仮想円錐面に対して平行な仮想円錐面ｑが、ポケット４１と重なっている。こうすることによって、玉１３の表面に付着したグリースが、つの４０で掻き取られることによって、外輪軌道面３１に浸入するのを抑制することができる。
【００３８】
こうして、第１実施形態の玉軸受１０では、基準仮想円錐面に対して平行な仮想円錐面であって、点Ｆで示す縁を含む仮想円錐面ｐおよび点Ｄで示す縁を含む仮想円錐面ｑのうち軸方向の他方向側にある仮想円錐面が、ポケット４１と重なるようにすることによって、玉１３の表面に付着したグリースが、各軌道面１７，３１に浸入するのを抑制することができる。
この結果、軌道面１７，３１においてグリースが激しく剪断されるのを抑制して、グリースの軟化を抑制することができる。
【００３９】
また、第１実施形態の玉軸受１０では、つの４０の軸方向長さｈを適正に設定することによって、保持器１４のつの４０の少なくとも一部が内輪軌道面１７と軸方向に重なるとともに、保持器１４の全部が、内輪肩２６と軸方向に重ならないようにしている。すなわち、つの４０の軸方向の他方向側の先端部（ａ３またはｂ３）の位置が、点Ｆで示す縁より軸方向で内輪軌道面１７の側に位置している。これにより、保持器１４と内輪１１との間には、グリースを剪断する狭いすきまが形成されない。これにより、グリースの軟化を抑制することができる。
【００４０】
第１実施形態で、つの４０の軸方向長さｈを適正に設定することの効果を明確にするために、図５を参照して、従来の玉軸受８０に封入されたグリースの動きと比較して説明する。
従来の玉軸受８０では、保持器８６は、軸方向両側に同軸に設けられた一対の環状体９１，９１と、当該一対の環状体９１，９１を軸方向につなぐ複数の柱９２とを備えている。周方向に隣接する柱９２の間にはポケット（図示を省略）が形成されていて、玉８５が保持されている。こうして、従来の玉軸受８０では、軸方向の他方向側において、保持器８６の環状体９１が、内輪肩９６の径方向外方に位置することとなり、保持器８６と内輪肩９６とが軸方向に重なっている。
玉軸受８０が回転すると、遠心力によって、封入されたグリースが、軸方向の一方向側から軸方向の他方向側に流動する。このとき、グリースは、保持器８６の内周側において内輪肩９６との間で激しく剪断されることによって軟化する。このため、従来の玉軸受８０は、軸方向の他方向側で、グリース漏れが生じやすくなる。
【００４１】
また、従来の玉軸受８０は、この環状空間Ｋの軸方向の他方向側に、保持器８６の環状体９１が設けられている分、空間容積が減少している。このため、従来の玉軸受８０は、遠心力によって軸方向の他方向側に流動したグリースが早期に充満し、更にグリース漏れが生じやすくなる。
【００４２】
これに対して、第１実施形態の玉軸受１０は、軸方向の他方向側で、保持器１４と内輪肩２６とが軸方向に重ならない。このため、第１実施形態の玉軸受１０が回転し、遠心力によって、封入されたグリースが玉１３の軸方向の他方向側に流動した場合であっても、軸方向の他方向側で、グリースは、保持器１４と内輪肩２６との間で剪断を受けることがなく、グリースの軟化を抑制できる。また、十分な大きさの容積が軸方向の他方向側の環状空間Ｋで確保できるので、グリースが遠心力によって軸方向の他方向側に流動した場合であっても、早期に充満することがなく、第１実施形態の玉軸受１０は、グリース漏れを更に効果的に抑制することができる。
こうして、第１実施形態の玉軸受１０は、高速回転で使用した場合であってもグリースの軟化を抑制し、グリースの漏れを抑制することができる。
【００４３】
（第２実施形態）
次に、第２実施形態の玉軸受６０について説明する。図４は、玉軸受６０の軸方向断面図である。
第２実施形態では、第１実施形態と比較して、内輪６１、第１密封装置６２（一方の密封部材）、第２密封装置６３（他方の密封部材）の形態が異なっており、第１密封装置６２のリップ６４と内輪６１外周とが接触する部分の形態、および、第２密封装置６３のリップ６５と内輪６１の外周とが組み合わされる部分の形態が異なっている。以下、相違する構成について説明する。なお、第１実施形態と共通する構成については、同一の符号を付して説明する。
【００４４】
第２実施形態の内輪６１は、外周の軸方向略中央に、玉１３が転動する内輪軌道面１７が形成されている。内輪６１は、外周の内輪軌道面１７の軸方向の一方向側に第１外周面６７が形成されており、内輪軌道面１７の軸方向の他方向側に第２外周面６８が形成されている。
【００４５】
第１外周面６７は、軸受中心軸ｍを中心として環状に形成されている。第１外周面６７の外径は、内輪軌道底Ｓｉの直径寸法とほぼ同等である。第１外周面６７の軸方向の他方向側で内輪軌道面１７とつながる部分には、抜け止め部６９が形成されている。抜け止め部６９は、内輪軌道底Ｓｉよりわずかに大径であり、玉軸受６０を組み立てたときに、内輪６１から複数の玉１３が容易に脱落しないようになっている。リップ当たり面７２が、第１外周面６７より軸方向の一方向側の内輪６１の外周に形成されている。リップ当たり面７２は、第１外周面６７より小径で円筒形状で同軸に形成されている。第１密封装置６２のリップ６４の内周のリップ先端６４ａが、リップ当たり面７２に接触している。
【００４６】
第２外周面６８は、軸受中心軸ｍを中心として環状に形成されている。第２外周面６８の外径は、第１外周面６７より大径である。第２外周面６８と内輪軌道面１７とがつながる縁を、図４では点Ｆで示している。
第３外周面７５が、第２外周面６８より軸方向の他方向側の内輪６１の外周に、軸受中心軸ｍを中心として環状に形成されている。第３外周面７５は、第２外周面６８より小径で円筒形状で同軸に形成されている。第３外周面７５は、径方向に形成された側面７４で第２外周面６８とつながっている。また、第２密封装置６３のリップ６５が組み込まれる第２リップ溝７３が、第３外周面７５に形成されている。
【００４７】
軌道底より大径の内輪肩７０が、内輪軌道面１７の軸方向の他方向側に形成されており、玉１３を軸方向に支持することができる。これに対して、肩は内輪軌道面１７の軸方向の一方向側に形成されておらず、玉１３を軸方向に支持することができない。第１外周面６７が形成されている部分および抜け止め部６９は、「内輪肩おとし部」を構成している。
【００４８】
第２実施形態の特徴は、第２密封装置６３と内輪６１との間のラビリンスすきまに向かうグリースの流れを抑制することによって、グリース漏れを抑制する点である。
第２実施形態の効果は、つの４０の軸方向長さｈを適正に設定することによって、玉１３の表面に付着したグリースが軌道面１７，３１に浸入するのを抑制して、軟化を抑制する効果、および、軸方向の他方向側において、保持器１４と内輪肩７０とが軸方向に重ならないことによって、グリースが剪断されるのを抑制して、軟化を抑制する効果であり、第１実施形態と同様である。共通する効果については説明を省略する。
【００４９】
第２実施形態では、第１密封装置６２および第２密封装置６３が、環状空間Ｋの軸方向両側の開口部に組み付けられている。
【００５０】
第２実施形態の第１密封装置６２は、第１実施形態の第１密封装置１５と比較して、リップ６４の形態が異なる。
リップ６４は、芯金７６の径方向内方に、弾性体で形成されている。リップ６４は、リップ先端６４ａが径方向に撓みうる状態でリップ当たり面７２と対向しており、リップ６４の内周のリップ先端６４ａはリップ当たり面７２と全周にわたって接触している。
こうして、第１密封装置６２は、外輪肩３５の軸方向の一方向側に固定されるとともに、内輪肩おとし部より軸方向の一方向側の位置に接触した状態で内輪６１に対向しており、環状空間Ｋを軸方向の一方向側の外部の空間から画定している。
【００５１】
第２実施形態の第２密封装置６３は、第１実施形態の第２密封装置１６と同様の形態である。
第２密封装置６３のリップ６５は、第２リップ溝７３に向けて径方向内方に突出して、第２リップ溝７３の溝側面７３ａと軸方向に対向するとともに、溝底面７３ｂと径方向に対向している。更に、リップ６５の一部が軸方向の一方向側に突出して、サブリップ６６が形成されている。サブリップ６６は、第３外周面７５とすきまをもって径方向に対向するとともに、側面７４とすきまｓをもって軸方向に対向している。サブリップ６６の軸方向の一方向側の端部の外径は、第２外周面６８の外径とほぼ同一である。
リップ６５およびサブリップ６６は、第２リップ溝７３、第３外周面７５および側面７４とわずかなすきまをもって対向してラビリンスを形成しており、環状空間Ｋへの異物の浸入を抑制している。
【００５２】
こうして、第２密封装置６３は、外輪肩おとし部の軸方向の他方向側に固定され、内輪肩７０より軸方向の他方向側の位置に非接触の状態で内輪６１に対向しており、環状空間Ｋを軸方向の他方向側の外部の空間から画定している。
【００５３】
グリースは、環状空間Ｋで図４に破線の矢印で示す向きに流動する。第２実施形態では、サブリップ６６と側面７４との間のすきまｓが、径方向に形成されており、グリースの流動する方向と略直交する向きに形成されている。このため、グリースは、サブリップ６６の外周側に向けて流動し、この流動方向と交差するすきまｓに向けて流入しにくくなる。グリースは、リップ６５と内輪６１との間のラビリンスすきまに流入しにくくなるので、第２実施形態は、更に確実にグリース漏れを抑制することができる。
【００５４】
なお、第１実施形態と同様に、十分な大きさの容積が、環状空間Ｋの軸方向の他方向側に確保できるので、グリース漏れを更に効果的に抑制することができる。
【００５５】
こうして、第２実施形態の玉軸受６０は、高速回転で使用した場合であっても、玉１３の表面に付着したグリースが内輪軌道面１７、外輪軌道面３１に浸入するのを抑制して、軟化を抑制することができるとともに、軸方向の他方向側において、保持器１４と内輪肩７０とが軸方向に重ならないことによって、グリースが剪断されるのを抑制して、軟化を抑制することができる。このため、第２実施形態の玉軸受６０は、遠心力によってグリースが軸方向の他方向側に流動した場合であっても、第２密封装置６３からのグリース漏れを抑制できる。
更に、第２実施形態の玉軸受６０は、軸方向の他方向側のリップ６５と内輪６１との間のラビリンスすきまに向かうグリースの流動を抑制できるので、グリースの漏れを更に確実に抑制することができる。
【００５６】
本発明は、上述した実施の形態に限定されるものではなく、その他種々の変更が可能である。たとえば、軸方向の他方向側に設けた第２密封装置のリップを内輪肩に接触した状態で内輪に対向させてもよい。その他、第１実施形態と第２実施形態の対応する構成を相互に入れ替える等、種々の変更が可能である。
【符号の説明】
【００５７】
（第１実施形態）１０：玉軸受、１１：内輪、１２：外輪、１３：玉、１４：保持器、１５：第１密封装置、１６：第２密封装置（密封部材）、１７：内輪軌道面、２１：第１外周面、２２：第２外周面、２６：内輪肩、３１：外輪軌道面、３２：第１内周面、３３：第２内周面、３５：外輪肩、３９：環状体、４０：つの、４１：ポケット、
（第２実施形態）６０：玉軸受、６１：内輪、６２：第１密封装置、６３：第２密封装置（密封部材）、６７：第１外周面、６８：第２外周面、７０：内輪肩、７１：外輪肩、７２：リップ当たり面、７５：第３外周面、
（従来技術）８０：玉軸受、８１：外輪、８２：外輪軌道面、８３：内輪、８４：内輪軌道面、８５：玉、８６：保持器、８７：密封装置、９１：環状体、９４：密封装置、９５：肩（外輪）、９６：肩（内輪）
【図１】
2019066013.tif 000003
【図２】
2019066013.tif 000004
【図３】
2019066013.tif 000005
【図４】
2019066013.tif 000006
【図５】
2019066013.tif 000007